(57)【要約】【課題】仕様の異なる薄型表示装置に装着する冷却ファンのコスト、冷却能力、静粛性の向上を図る。【解決手段】本プラズマテレビは、キャビネット内に配置された冷却ファン１５を用いて、キャビネット内部の換気を行なう。冷却ファン１５の取付け構造は以下の通りである。つまり、共通した単一種類のファンホルダ１６を介して小型の共通した単一種類の冷却ファン１５をシャーシブラケット１３の傾斜突出部１３ｃに、仮止め固定可能に且つ、取付位置及び数を適宜変更可能に装着する。【選択図】図３
2008219657.tif 000002
【特許請求の範囲】
【請求項１】
外部から入力された映像信号に基づいて所定の映像を画面に表示する、プラズマテレビにおいて、
前記プラズマテレビは、プラズマディスプレイパネルと、前記プラズマディスプレイパネルが取付け支持されるパネルホルダと、当該パネルホルダに取り付けられるシャーシブラケットと、当該シャーシブラケットに取り付けられるファンホルダと、当該ファンホルダに取り付けられる冷却ファンと、前記プラズマディスプレイパネルの背面側を覆う、樹脂成形されたリヤキャビネットとから成り、
前記パネルホルダは上下左右の４辺から成る略額縁枠であって、その枠内に前記プラズマディスプレイパネルが取り付けられ、
前記シャーシブラケットは、前記パネルホルダの上下枠に各々取り付けられる上側取付水平部及び下側取付水平部と、当該上側取付水平部から傾斜突出して連なる傾斜突出部と、下側取付水平部から垂直に突出して連なる垂直突出部と、当該両突出部間を繋げる水平頂部とから成る縦断面略ハット形状であって、前記パネルホルダの上下中心軸に対して対称となる位置で並列して２本、パネルホルダの上下枠間を跨ぐように、且つプラズマディスプレイパネルの背面と離間して相対するように取り付けられ、
前記傾斜突出部は、その幅方向両端部に、１つのネジ穴と、当該ネジ穴を挟んだシャーシブラケット長手方向両側に離間した１対の位置決め穴と、同じくネジ穴を挟んだシャーシブラケット長手方向両側に更に離間し、且つシャーシブラケット幅方向内方にオフセットした１対の角穴とを各々有して成り、
前記ファンホルダは、
略方形環形状であって、
シャーシブラケットの傾斜突出部に設けられた前記ネジ穴に対応する挿通穴と、
当該挿通穴を挟んだ辺両側に離間して設けられ、シャーシブラケットの傾斜突出部に設けられた１対の前記位置決め穴に対応する１対の位置決め凸部と、
挿通穴を挟んだ辺両側に更に離間する外周端部から外方に前記シャーシブラケットの略板厚分だけ一段下がった後に伸延する略クランク状に曲げ加工されて設けられ、シャーシブラケットの傾斜突出部に設けられた１対の前記角穴に対応する１対の係止爪と、
外周４角部に冷却ファンを装着する取付ネジ穴とを有し、
前記リヤキャビネットは、後に組み立てられた際の前記冷却ファンに相対する上部に排出スリットと、背面下部に吸引スリットとを有し、
ファンホルダに、その環内に回転フィンが露出するように前記取付ネジを介して取付けた後、その外周上面に後に組み付けられるリヤキャビネットとの間で挟持される不織布から成る防振部材を装着した上、前記ファンホルダを、シャーシブラケットの前記傾斜突出部に対して、両者間の当接面に不織布から成る防振部材を挟持した状態で、前記係止爪をシャーシブラケットの前記角穴に上方より挿入し段部で係止すると同時に、前記位置決め凸部を前記位置決め穴に嵌入位置決めすることで前記挿通穴を前記ネジ穴と略一致させた状態で仮止め固定し、当該挿通穴を介してネジ穴にネジ締結することで冷却ファンをプラズマディスプレイパネルに装着し、更にその後にリヤキャビネットを、前記排出スリットが前記冷却ファンに相対するように、且つファンホルダの外周に設けられた前記防振部材がリヤキャビネットに当接、挟持されるように装着することで、冷却ファンの作動時には下部に位置する前記吸引スリットから上部に位置する排出スリットに向けた熱気排出流が生起されるよう組み立てられることを特徴とするプラズマテレビ。
【請求項２】
外部から入力された映像信号に基づいて所定の映像を画面に表示する薄型表示装置の冷却ファン取り付け構造において、
前記薄型表示装置の背面に装着されたシャーシブラケットに、ネジ穴と、位置決め穴と、角穴とが設けられると共に、
冷却ファンが装着される単一種類のファンホルダの端部には、前記シャーシブラケットに装着する際、前記ネジ穴に一致してネジが挿入固定される挿通穴と、前記位置決め穴に嵌入位置決めする位置決め凸部と、前記シャーシブラケットの略板厚分だけ一段下がった後に伸延する略クランク状に曲げ加工されて成り前記角穴に挿入係止する係止爪とが設けられたことを特徴とする、薄型表示装置の冷却ファン取り付け構造。
【請求項３】
前記シャーシブラケットに設けられる、前記ネジ穴と、前記位置決め穴と、前記角穴との組は、シャーシブラケットの幅方向両側端部に各々１つ設けられることを特徴とする、請求項２に記載の薄型表示装置の冷却ファン取り付け構造。
【請求項４】
前記シャーシブラケットは、薄型表示装置の上下枠に各々取り付けられる上側取付水平部及び下側取付水平部と、当該上側取付水平部から傾斜突出して連なる傾斜突出部と、下側取付水平部から垂直に突出して連なる垂直突出部と、当該両突出部間を繋げる水平頂部とから成る縦断面略ハット形状であって、薄型表示装置の上下枠間を跨ぐように、且つ薄型表示装置の背面と離間して相対するように取り付けられ、
前記ネジ穴と、前記位置決め穴と、前記角穴との組は、シャーシブラケットの前記傾斜突出部の幅方向両側端部に各々１つ設けられることを特徴とする、請求項３に記載の薄型表示装置の冷却ファン取り付け構造。
【請求項５】
前記シャーシブラケットと前記ファンホルダ間の装着時には、両者間の当接面に不織布或いは発泡シーラーから成る防振部材を挟持させることを特徴とする、請求項２〜４に記載の薄型表示装置の冷却ファン取り付け構造。
【請求項６】
前記ファンホルダ上面には、後に組み付けられるリヤキャビネットとの間で挟持される不織布から成る防振部材を装着したことを特徴とする、請求項２〜５に記載の薄型表示装置の冷却ファン取り付け構造。
【発明の詳細な説明】
【技術分野】
【０００１】
本発明は、薄型表示装置の冷却装置取り付け構造、及び当該薄型表示装置の冷却装置取付構造により組み付けられたプラズマテレビに関する。
【背景技術】
【０００２】
放送された映像をディスプレイに表示させ、視聴するテレビは、娯楽番組、映画、或いはニュースなどを視聴する基幹メディアとして、一般家庭に広く普及して久しい。そして、生活水準の向上と共に、画面の大型化が進んでいる。しかし、従来より長らく主流となっている、ブラウン管を用いたテレビは、その構造上、奥行き寸法、重量、或いは消費電力といった点で問題を抱え、画面の大型化に限界が来つつあった。
【０００３】
一方、近年になって、電子、半導体、或いは材料技術等の向上により、プラズマディスプレイや液晶ディスプレイといった、ブラウン管とは全く異なる新たな表示デバイスが開発されている。こうした表示デバイスは、従来のブラウン管と比較すると薄型であることから、一般に薄型表示装置、或いはフラットパネルディスプレイ（ＦＰＤ）などと総称されることが多い。
【０００４】
こうした薄型表示装置は、テレビ用途向けでは、技術開発の伸展や量産効果と共に低コスト化と大型化が可能となり、ＴＶ放送のデジタル化に伴う買い替え需要や日本の狭い住宅事情とも合致して、従来のブラウン管方式にとって替わり、市場が大きく拡大している。
【０００５】
ところで、上述の薄型表示装置を用いたテレビを製造する場合は、パネルメーカーが供給する汎用のパネルアッシーを組付け、独自の制御処理技術等を付加して行う場合がある。こうした汎用のパネルアッシーの組付けは、通常、当該パネルアッシーと、フィルタと、樹脂成形されたキャビネットとを組付けて成されるのが一般的である。
【０００６】
図６に、薄型表示装置がプラズマディスプレイパネルである場合の、従来の組付け構造を示す。同図において、プラズマディスプレイパネル１は立設させた状態の略額縁状であるパネルホルダ２の背面側からスペーサ３を４つ角に介して装着され、当該パネルホルダ２の側面からネジ止め固定される。尚、前記スペーサ３は後述するフィルタ４に対して所定距離を離間した状態で相対させるためのものである。
【０００７】
一方、前記パネルホルダ２の正面側からは、フィルタ４がガスケット５を介して装着され、当該フィルタ４の上下左右４辺を断面形状がクランク状の段差を有する直線状フレームである４つのフィルタホルダ６で係止されて、正面側からネジ固定される。そして、このように前記プラズマディスプレイパネル１及び前記フィルタ４が装着された前記パネルホルダ２に、正面側から略額縁状のキャビネット７、及び当該キャビネット７とビューエリア外周間の隙間をカバーするベゼル８が装着され、前記パネルホルダ２の背面側からネジの固定される。
【０００８】
又、パネルホルダ２の上限枠間には２本のシャーシブラケット９が並列して、プラズマディスプレイパネル１の背面側に位置するように取り付けられる。当該シャーシブラケット９には、制御基板、入出力装置などが取り付けられ、構造的に背骨のような役割を果たす。
【０００９】
上述したようなプラズマディスプレイパネル１の組付けにおいては、パネルホルダ２、プラズマディスプレイパネル１、フィルタ４、キャビネット７、シャーシブラケット９等の各部品は、何れも立設させた状態で組付け作業が行なわれる。
【００１０】
ところで、プラズマディスプレイパネル１には、その構造上、高電圧が印加されることになるため、起動時には当該プラズマディスプレイパネル１、及びその背面に取り付けられる制御基板等からの発熱が大きい。その上、その周囲には不図示のリヤキャビネットが近接して取り付けられるため閉空間となり、熱がこもり易い。
【００１１】
そこで、こうした発熱による内部の温度上昇を抑え、安定した動作を得るために、内部空間の熱気を吸引排気することで冷却するファンが取り付けられている。当該冷却ファン９ａは、プラズマディスプレイパネル１とリヤキャビネットの間で、且つ制御基板に重複しないよう若干上方にズレた位置に、例えば２つ、後述する専用のファンホルダ９ｂを介して取り付けられる。
【００１２】
図７に示すように、前記ファンホルダ９ｂは、略板状であり、取り付けられた冷却ファン９ａがプラズマディスプレイパネル１の背面側に一定距離離間して相対するように、並列する２本の前記シャーシブラケット９間に架橋して略水平にネジ止めされる。
【００１３】
当該ファンホルダ９ｂの所定位置には貫通穴が２つ設けられ、当該貫通穴に各々冷却ファン９ａがネジ止めされる。又、前記リヤキャビネットの、前記冷却ファンに相対する位置には、排気するためのスリットが設けられている。
【００１４】
上記のように設置された前記冷却ファン９ａは、プラズマディスプレイテレビの起動時には、上述した、プラズマディスプレイパネル１とリヤキャビネット間に形成される閉空間内にこもる熱気をリヤキャビネットに設けられた前記スリットを介して、外部に排気する。この結果、上記閉空間内は一定温度以下に保たれ、機器の安定した動作が成される。
【００１５】
しかしながら、こうした冷却ファン９ａ取付構造においては、以下の問題を抱えていた。即ち、前述したように、プラズマディスプレイパネル１を初めとする薄型表示装置を用いたテレビを製造する場合は、パネルメーカーが供給する汎用のパネルアッシーを組付け、独自の制御処理技術等を付加して行うことが多い。そのような場合、パネルメーカーが複数に渡ると、ディスプレイパネルの形状、寸法等の仕様が各メーカー毎に異なってくるため、それに応じて各々異なる形状のファンホルダ９ｂを用意しなくてはならず、コストアップに繋がるという問題があった。
【００１６】
又、前述したようにプラズマディスプレイパネル１の組付けにおいては、パネルホルダ２、プラズマディスプレイパネル１、フィルタ４、キャビネット７、シャーシパネル等の各部品は、何れも立設させた状態で組付け作業が行なわれる。従って、ファンホルダを介した冷却ファンの組立て時には、落下しないように、且つネジ穴が正確に合わさるようにファンホルダを片手で支えた状態でネジ締結作業を行わねばならず、作業性が悪かった。
【００１７】
更に、熱気は下方から上方へと上昇する傾向にあるため、プラズマディスプレイパネル１とリヤキャビネット間に形成される閉空間内の内、冷却ファン９ａの取り付け位置よりも下方の領域における熱気は比較的効率良く排気されるが、冷却ファン９ａの取り付け位置よりも上方の領域における熱気は滞留しがちで、十分に排気するためには、より大きな排気能力を備えた冷却ファンを設ける必要があり、コストアップ、騒音上昇、消費電力増大等の問題が生じていた。
【００１８】
更に、前述したようにシャーシブラケット９には、制御基板、入出力装置などの各種部品が取り付けられるため、これら各部品が障害とり、排気に適した位置への冷却ファン９ａの取り付けができず、十分な冷却能力が得られなかったり、奥行き寸法が大型化してしまうといった問題もあった。
【００１９】
ところで、電子機器内に設けられる冷却ファンの取り付け構造に関しては、以下のような従来技術が開示されている。
【００２０】
即ち、特開平８−２２８０８６号公報（特許文献１）では、その開口一端には係止片と位置決め部を延出させると共に、他端にはスリットとネジ孔を設けたホルダ内に冷却ファンを収納し、機器筐体の排気口周縁には対応する係止部、位置決め用突起、係止爪、及びネジ挿通孔を設け、冷却ファンをホルダを介して筐体に取り付けるようにしている。この構造によれば、取り付け作業が容易にできる。
【００２１】
特開２００５−１９７４２１号公報（特許文献２）では、フック係合部を有するファンボックス内にファンを収納し、機器のリアパネルには前記フック係合部に対応するフック部を設け、ファンボックスを介してファンをリアパネルに取り付けるようにしている。この構造によれば、上記同様に取り付け作業が容易にできる。
【００２２】
特開２００３−１７３１４７号公報（特許文献３）では、表示装置の表示パネル背面に取り付ける基板を、上下の補強リブから各々隙間を空けて設け、当該隙間からの冷却空気の排出空間を確保している。この構造によれば、冷却を確実に行なうことができる。
【特許文献１】特開平８−２２８０８６号公報
【特許文献２】２００５−１９７４２１号公報
【特許文献３】特開２００３−１７３１４７号公報
【発明の開示】
【発明が解決しようとする課題】
【００２３】
前記特許文献１の構成では、ホルダを介して冷却ファンの取り付けを行なうので、単純なネジによる取り付け構造に比べて確かに取り付け作業が容易化できる。しかしながら当該構成では、前述した本願発明における薄型表示装置のパネルメーカーが複数に渡ると、パネルホルダの形状、寸法等の仕様がメーカー毎に異なってくる場合に、それに応じて各々異なる形状のファンホルダを用意する必要があることに変わりは無く、コストアップに繋がるという問題を解決することはできない。
【００２４】
又、冷却ファンの取り付け位置よりも上方の空間の熱気の排気の問題もやはり解決することはできない。
【００２５】
前記特許文献２の構成では、上記特許文献１同様、ファンボックスを介して冷却ファンの取り付けを行なうので、単純なネジによる取り付け構造に比べて確かに取り付け作業が容易化できる。しかしながら当該構成では、前述した本願発明における薄型表示装置のパネルメーカーが複数に渡ると、パネルホルダの形状、寸法等の仕様がメーカー毎に異なってくる場合に、それに応じて各々異なる形状のファンボックスを用意する必要があることに変わりは無く、コストアップに繋がるという問題をやはり解決することはできない。  
【００２６】
又、冷却ファンの取り付け位置よりも上方の空間の熱気の排気の問題もやはり解決することはできない。
【００２７】
前記特許文献３の構成では、確かに熱気の排気効率は向上するが、冷却ファンよりも上方の空間の熱気を効率良く排出する問題を解決することはできない。
【００２８】
又、パネルホルダの形状、寸法等の仕様がメーカー毎に異なってくる場合の問題、取り付け作業性の問題を解決することもできない。
【００２９】
本発明は、上記問題にかんがみてなされたもので、薄型表示装置のディスプレイパネルの形状、寸法等の仕様がメーカー毎に異なってくる場合に低コストで、組付け作業性が高く、且つ上方の位置を含めた広領域において高い冷却能力を有する、薄型表示装置の冷却ファン取付構造、及び当該冷却ファン取付構造を採用したプラズマテレビを提供することを目的とする。
【課題を解決するための手段】
【００３０】
上記課題を解決するために、請求項２に記載の発明は、外部から入力された映像信号に基づいて所定の映像を画面に表示する薄型表示装置の冷却ファン取り付け構造において、前記薄型表示装置の背面に装着されたシャーシブラケットに、ネジ穴と、位置決め穴と、角穴とが設けられると共に、冷却ファンが装着される単一種類のファンホルダの端部には、前記シャーシブラケットに装着する際、前記ネジ穴に一致してネジが挿入固定される挿通穴と、前記位置決め穴に嵌入位置決めする位置決め凸部と、前記シャーシブラケットの略板厚分だけ一段下がった後に伸延する略クランク状に曲げ加工されて成り前記角穴に挿入係止する係止爪とが設けられた構成としている。
【００３１】
上記のように構成した請求項２に記載の発明によれば、冷却ファンは、ファンホルダに設けられた前記係止爪がシャーシブラケットに設けられた前記角穴に挿入されると同時に、ファンホルダに設けられた前記位置決め凸部がシャーシブラケットに設けられた前記位置決め穴に嵌入位置決めされた状態で、シャーシブラケットに設けられた前記ネジ穴に一致したファンホルダに設けられた前記挿通穴を介してネジが挿入固定される。
【００３２】
外部から入力された映像信号に基づいて所定の映像を画面に表示する、プラズマテレビにおいて、前記プラズマテレビは、プラズマディスプレイパネルと、前記プラズマディスプレイパネルが取付け支持されるパネルホルダと、当該パネルホルダに取り付けられるシャーシブラケットと、当該シャーシブラケットに取り付けられるファンホルダと、当該ファンホルダに取り付けられる冷却ファンと、前記プラズマディスプレイパネルの背面側を覆う、樹脂成形されたリヤキャビネットとから成り、前記パネルホルダは上下左右の４辺から成る略額縁枠であって、その枠内に前記プラズマディスプレイパネルが取り付けられ、前記シャーシブラケットは、前記パネルホルダの上下枠に各々取り付けられる上側取付水平部及び下側取付水平部と、当該上側取付水平部から傾斜突出して連なる傾斜突出部と、下側取付水平部から垂直に突出して連なる垂直突出部と、当該両突出部間を繋げる水平頂部とから成る縦断面略ハット形状であって、前記パネルホルダの上下中心軸に対して対称となる位置で並列して２本、パネルホルダの上下枠間を跨ぐように、且つプラズマディスプレイパネルの背面と離間して相対するように取り付けられ、前記傾斜突出部は、その幅方向両端部に、１つのネジ穴と、当該ネジ穴を挟んだシャーシブラケット長手方向両側に離間した１対の位置決め穴と、同じくネジ穴を挟んだシャーシブラケット長手方向両側に更に離間し、且つシャーシブラケット幅方向内方にオフセットした１対の角穴とを各々有して成り、前記ファンホルダは、略方形環形状であって、シャーシブラケットの傾斜突出部に設けられた前記ネジ穴に対応する挿通穴と、当該挿通穴を挟んだ辺両側に離間して設けられ、シャーシブラケットの傾斜突出部に設けられた１対の前記位置決め穴に対応する１対の位置決め凸部と、挿通穴を挟んだ辺両側に更に離間する外周端部から外方に前記シャーシブラケットの略板厚分だけ一段下がった後に伸延する略クランク状に曲げ加工されて設けられ、シャーシブラケットの傾斜突出部に設けられた１対の前記角穴に対応する１対の係止爪と、外周４角部に冷却ファンを装着する取付ネジ穴とを有し、前記リヤキャビネットは、後に組み立てられた際の前記冷却ファンに相対する上部に排出スリットと、背面下部に吸引スリットとを有し、ファンホルダに、その環内に回転フィンが露出するように前記取付ネジを介して取付けた後、その外周上面に後に組み付けられるリヤキャビネットとの間で挟持される不織布から成る防振部材を装着した上、前記ファンホルダを、シャーシブラケットの前記傾斜突出部に対して、両者間の当接面に不織布から成る防振部材を挟持した状態で、前記係止爪をシャーシブラケットの前記角穴に上方より挿入し段部で係止すると同時に、前記位置決め凸部を前記位置決め穴に嵌入位置決めすることで前記挿通穴を前記ネジ穴と略一致させた状態で仮止め固定し、当該挿通穴を介してネジ穴にネジ締結することで冷却ファンをプラズマディスプレイパネルに装着し、更にその後にリヤキャビネットを、前記排出スリットが前記冷却ファンに相対するように、且つファンホルダの外周に設けられた前記防振部材がリヤキャビネットに当接、挟持されるように装着することで、冷却ファンの作動時には下部に位置する前記吸引スリットから上部に位置する排出スリットに向けた熱気排出流が生起されるよう組み立てられる構成としてある。
【００３３】
上記のように構成した請求項１に記載の発明によれば、共通した単一種類のファンホルダを用いて冷却ファンがシャーシブラケットに取り付けられる。又、ファンホルダは、前記係止爪をシャーシブラケットの前記角穴に上方より挿入し段部で係止すると同時に、前記位置決め凸部を前記位置決め穴に嵌入位置決めすることで前記挿通穴を前記ネジ穴と略一致させた状態で仮止め固定されてから、ネジで完全固定される。更に、シャーシブラケットの前記傾斜突出部に取り付けられた冷却ファンにより、下部に位置する前記吸引スリットから上部に位置する排出スリットに向けた熱気排出流が生起されて、閉空間の熱気が吸引排気される。更に、冷却ファンは、２つのシャーシブラケットの各両側の計４箇所から、装着箇所が適宜選択される。更に、ファンホルダとリヤキャビネット間、及びファンホルダとシャーシブラケット間に各々設けられた防振部材で、冷却ファンの作動時の振動が防振される。
【発明の効果】
【００３４】
請求項１に記載の発明によれば、共通した単一種類のファンホルダを用いて冷却ファンがシャーシブラケットに取り付けられる。又、ファンホルダは、前記係止爪をシャーシブラケットの前記角穴に上方より挿入し段部で係止すると同時に、前記位置決め凸部を前記位置決め穴に嵌入位置決めすることで前記挿通穴を前記ネジ穴と略一致させた状態で仮止め固定されてから、ネジで完全固定される。更に、シャーシブラケットの前記傾斜突出部に取り付けられた冷却ファンにより、下部に位置する前記吸引スリットから上部に位置する排出スリットに向けた熱気排出流が生起されて、閉空間の熱気が吸引排気される。更に、冷却ファンは、２つのシャーシブラケットの各両側の計４箇所から、装着箇所が適宜選択される。更に、ファンホルダとリヤキャビネット間、及びファンホルダとシャーシブラケット間に各々設けられた防振部材で、冷却ファンの作動時の振動が防振される。
【００３５】
従って、異なるメーカーのプラズマディスプレイパネルに冷却ファンを組付ける場合であっても、全て共通した単一種類のファンホルダを介して取り付け可能であるので、低コスト化を図れる。
又、ファンホルダのシャーシブラケットへの組付け時に、仮止め固定できるので、プラズマディスプレイパネルが立設配置されていても、手で支えてネジ穴に正確に位置合わせする必要が無く、容易にネジ締結作業を行うことができ、組付け作業性を向上させることができる。
更に、下部に位置する前記吸引スリットから上部に位置する排出スリットに向けた熱気排出流が生起されて、閉空間の熱気が吸引排気されるので、リヤキャビネットで覆われる閉空間の上部を含めた広い領域を効率よく確実に冷却することができる。その上、状況に応じて１〜４箇所の取り付け箇所を適宜選択し、冷却ファンを取り付けられるので、より一層、排気効率を向上させることができる。又、個々の冷却ファン自体の排気能力を無用に上げる必要が無いので、冷却ファンの小型化を図ることもできる。その結果、コストダウン、低騒音化、低消費電力化、及び軽量化を図ることができる。
更に、ファンホルダとリヤキャビネット間、及びファンホルダとシャーシブラケット間に各々設けられた防振部材で、冷却ファンの作動時の振動が防振され、より一層、低騒音化を図ることができる。
更に、冷却ファンはシャーシブラケットの上方にある傾斜突出部に設けられる上、装着箇所を１〜４箇所のうちで適宜設定ので、制御基板等の部品と干渉することなく設けられ、これら部品に妨げられることなく効率良い排気が得られると同時に、奥行き寸法の大型化も抑制できる。
【００３６】
請求項２に記載の発明によれば、冷却ファンは、ファンホルダに設けられた前記係止爪がシャーシブラケットに設けられた前記角穴に挿入されると同時に、ファンホルダに設けられた前記位置決め凸部がシャーシブラケットに設けられた前記位置決め穴に嵌入位置決めされた状態で、シャーシブラケットに設けられた前記ネジ穴に一致したファンホルダに設けられた前記挿通穴を介してネジが挿入固定される。
従って、異なるメーカーのプラズマディスプレイパネルに冷却ファンを組付ける場合であっても、全て共通した単一種類のファンホルダを介して取り付け可能であるので、低コスト化を図れる。
又、ファンホルダのシャーシブラケットへの組付け時に、仮止め固定できるので、プラズマディスプレイパネルが立設配置されていても、手で支えてネジ穴に正確に位置合わせする必要が無く、容易にネジ締結作業を行うことができ、組付け作業性を向上させることができる。
【００３７】
請求項３に記載の発明によれば、冷却ファンは、シャーシブラケットの両側の各箇所の内から、装着箇所が適宜選択される。
従って、状況に応じた排気能力を設定することができ、低コストで排気効率を向上させることができる。又、個々の冷却ファン自体の排気能力を無用に上げる必要が無いので、冷却ファンの小型化を図ることもできる。その結果、コストダウン、低騒音化、低消費電力化、及び軽量化を図ることができる。
更に、装着箇所を１〜４箇所のうちで適宜設定ので、制御基板等の部品と干渉することなく設けられ、これら部品に妨げられることなく効率良い排気が得られると同時に、奥行き寸法の大型化も抑制できる。
【００３８】
請求項４に記載の発明によれば、シャーシブラケットの前記傾斜突出部に取り付けられた冷却ファンにより、下部から上部に向けて、閉空間の熱気が吸引排気される。
従って、リヤキャビネットで覆われる閉空間の上部を含めた広い領域を効率よく確実に冷却することができる。
更に、冷却ファンはシャーシブラケットの上方にある傾斜突出部に設けられるので、制御基板等の部品と干渉することなく設けられ、これら部品に妨げられることなく効率良い排気が得られると同時に、奥行き寸法の大型化も抑制できる。
【００３９】
請求項５に記載の発明によれば、ファンホルダとシャーシブラケット間に各々設けられた防振部材で、冷却ファンの作動時の振動が防振される。
従って、低騒音化を図ることができる。
【００４０】
請求項６に記載の発明によれば、ファンホルダとリヤキャビネット間に各々設けられた防振部材で、冷却ファンの作動時の振動が防振される。
従って、低騒音化を図ることができる。
【発明を実施するための最良の形態】
【００４１】
以下、本発明を具体化した実施例について説明する。
【００４２】
（１）実施例１
図１には、本実施例における薄型表示装置としてのプラズマディスプレイパネルを用いたプラズマテレビの概略構成を説明するブロック図を示す。
【００４３】
同図において、プラズマテレビ１１は、本体の動作を制御するコントローラ１１ｂと、図示していないアンテナで受信されるテレビ放送信号から選択されているチャンネルのテレビ放送信号を抽出し、出力するチューナ１１ｄと、該チューナ１１ｄが出力したテレビ放送信号に基く映像をプラズマディスプレイパネル１２ａに表示する映像処理部１１ｆと、該チューナ１１ｄが出力したテレビ放送信号に基く音声をスピーカ１１ｇから出力する音声処理部１１ｈと、リモコン１１ｃから送信されてきた制御コマンドを受信するリモコン受信部１１ａとを備えている。 
【００４４】
前記コントローラ１１ｂは、リモコン受信部１１ａで受信した制御コマンドに応じて、電源のオン／オフ、チャンネルの切換、音量のアップ／ダウン等を制御する。尚、プラズマテレビ１１の各部には、図示していない電源回路から動作電源が供給されている。この電源回路の入力は、商用電源（例えば、ＡＣ１００Ｖ）である。
【００４５】
前記プラズマディスプレイパネル１２ａは、本実施例では例えば３７インチ以上の大型のサイズの汎用プラズマディスプレイパネルアッシーとして、パネルメーカーより供給される。当該プラズマディスプレイパネル１２ａには、本工程ライン上で、そのフロント側にフィルタ、及びキャビネットが組み付けられて、プラズマテレビ１１が製造される。
【００４６】
図２に、プラズマディスプレイパネルの組付け構造を示す。同図において、プラズマディスプレイパネル１２ａは立設させた状態の略額縁状であるパネルホルダ１２ｂの背面側からスペーサ１２ｃを４つ角に介して装着され、当該パネルホルダ１２ｂの側面からネジ止め固定される。尚、前記スペーサ１２ｃは後述するフィルタ１２ｄに対して所定距離を離間した状態で相対させるためのものである。
【００４７】
一方、前記パネルホルダ１２ｂの正面側からは、フィルタ１２ｄがガスケット１２ｅを介して装着され、当該フィルタ１２ｄの上下左右４辺を断面形状がクランク状の段差を有する直線状フレームである４つのフィルタホルダ１２ｆで係止されて、正面側からネジ固定される。そして、このように前記プラズマディスプレイパネル１２ａ及び前記フィルタ１２ｄが装着された前記パネルホルダ１２ｂに、正面側から略額縁状のキャビネット１２ｇ、及び当該キャビネット１２ｇとビューエリア外周間の隙間をカバーするベゼル１２ｈが装着され、前記パネルホルダ１２ｂの背面側からネジの固定される。
【００４８】
又、パネルホルダ１２ｂの上限枠間には２本のシャーシブラケット１３が並列して、プラズマディスプレイパネル１２ａの背面側に位置するように取り付けられる。当該シャーシブラケット１３には、制御基板、入出力装置などが取り付けられ、構造的に背骨のような役割を果たす。
【００４９】
上述したようなプラズマテレビ１１の組立てにおいては、パネルホルダ１２ｂ、プラズマディスプレイパネル１２ａ、フィルタ１２ｄ、キャビネット１２ｇ、シャーシブラケット１３等の各部品は、何れも立設させた状態で組付け作業が行なわれる。
【００５０】
前述したようにプラズマディスプレイパネル１２ａには、その構造上、高電圧が印加されることになるため、起動時には当該プラズマディスプレイパネル１２ａ、及びその背面に取り付けられる制御基板等からの発熱が大きい。その上、図４に示すようにその周囲には、リヤキャビネット１４が近接して取り付けられるため閉空間となり、熱がこもり易い。
【００５１】
そこで、図３に示すように、こうした発熱による内部の温度上昇を抑え、安定した動作を得るために、内部空間の熱気を吸引排気することで冷却する冷却ファン１５がファンホルダ１６を介して前記シャーシブラケット１３に取り付けられる。
【００５２】
即ち、前記シャーシブラケット１３は、前記パネルホルダ１２ｂの上下枠に各々取り付けられる上側取付水平部１３ａ及び下側取付水平部１３ｂと、当該上側取付水平部１３ａから傾斜突出して連なる傾斜突出部１３ｃと、下側取付水平部１３ｂから垂直に突出して連なる垂直突出部１３ｄと、当該両突出部１３ｃ、１３ｄ間を繋げる水平頂部１３ｈとから成る縦断面略ハット形状であって、前記パネルホルダ１２ｂの上下中心軸に対して対称となる位置で並列して２本、パネルホルダ１２ｂの上下枠間を跨ぐように、且つプラズマディスプレイパネル１２ａの背面と離間して相対するように取り付けられる。
【００５３】
図５に示すように、前記傾斜突出部１３ｃは、その幅方向両端部に、１つのネジ穴１３ｅと、当該ネジ穴１３ｅを挟んだシャーシブラケット１３長手方向両側に離間した１対の位置決め穴１３ｆと、同じくネジ穴１３ｅを挟んだシャーシブラケット１３長手方向両側に更に離間し、且つシャーシブラケット１３幅方向内方にオフセットした１対の角穴１３ｇとを各々有して成る。
【００５４】
前記ファンホルダ１６は、装着されるプラズマディスプレイパネル１２ａの種類に寄らず共通した単一種類であって、装着される前記冷却ファン１５による吸引排気が可能な略方形環形状であり、その外周の１辺略中央に設けられ、シャーシブラケット１３の傾斜突出部１３ｃに設けられた前記ネジ穴１３ｅに対応する挿通穴１６ａと、当該挿通穴１６ａを挟んだ辺両側に離間して設けられ、シャーシブラケット１３の傾斜突出部１３ｃに設けられた１対の前記位置決め穴１３ｆに対応する１対の位置決め凸部１６ｂと、同じく挿通穴１６ａを挟んだ辺両側に更に離間する外周端部から外方に前記シャーシブラケット１３の略板厚分だけ一段下がった後に伸延する略クランク状に曲げ加工されて設けられ、シャーシブラケット１３の傾斜突出部１３ｃに設けられた１対の前記角穴１３ｇに対応する１対の係止爪１６ｃとを各々有すると共に、外周４角部には冷却ファン１５を装着する取付ネジ穴１６ｄを有して成る。
【００５５】
前記ファンホルダ１６に装着される冷却ファン１５は、不図示の回転羽根と、当該回転羽根を環内に支持する略方形環形状のフレームとから成る小型で共通した単一種類である。前記フレームの外周４角部には、ファンホルダ１６の前記取付ネジ穴１６ｄに対応するネジ挿通穴が設けられ、当該ネジ挿通穴を介して冷却ファン１５は前記ファンホルダ１６にネジ装着される。ファンホルダ１６に取り付けられた前記冷却ファン１５の回転羽根は、ファンホルダ１６の環内に露出し、当該環内を介して回転羽根により送排気可能になっている。
【００５６】
一方、前記リヤキャビネット１４は、後に組み立てられた際の前記冷却ファン１５に相対する上部に排出スリット１４ａと、背面下部に吸引スリット１４ｂとを有し、組立て後には両スリット１４ａ，１４ｂ間を閉空間内の熱気が効率的に上方外部に排出可能な構造になっている。
【００５７】
次に、上記のように各々構成された、プラズマテレビ１１における前記冷却ファン１５を含む各部材の組立て作業について以下に説明する。
【００５８】
まずファンホルダ１６に、その環内に回転フィンが露出するように前記取付ネジ１５ａを介して取付けた後、その外周上面に後に組み付けられるリヤキャビネット１４との間で挟持される例えば不織布から成る防振部材１７を装着する。当該防振部材１７は、前記ファンホルダ１６の外周表面のみに設けられ、環内を通過する排気流を妨げないようになっている。
【００５９】
次に、例えば４個のファンホルダ１６を、立設配置されたプラズマディスプレイパネル１２ａに装着された２本のシャーシブラケット１３の前記傾斜突出部１３ｃの、各々の両端に装着する。但し、この装着するファンホルダ１６の数、及び装着箇所は２本のシャーシブラケット１３の傾斜突出部１３ｃの各両端部計４箇所の内で状況に応じて適宜選択変更可能である。
【００６０】
前記ファンホルダ１６のシャーシブラケット１３の前記傾斜突出部１３ｃへの装着は以下のように行なう。
【００６１】
即ち、ファンホルダ１６と傾斜突出部１３ｃ間の当接面に例えば不織布から成る防振部材１８を挟持した状態で、前記係止爪１６ｃをシャーシブラケット１３の前記角穴１３ｇに上方より挿入し段部で係止すると同時に、前記位置決め凸部１６ｂを前記位置決め穴１３ｆに嵌入位置決めすることで前記挿通穴１６ａを前記ネジ穴１３ｅと略一致させた状態で仮止め固定する。
【００６２】
この状態では、２箇所の前記係止爪１６ｃが各々前記角穴１３ｇ内に挿入、係止されるので、立設しているシャーシブラケット１３の傾斜突出部１３ｃから前記ファンホルダ１６が落下する恐れはないので、手で支持する必要無く、仮止め固定される。更に、前記位置決め凸部１６ｂが前記位置決め穴１３ｆに嵌入するので、前記傾斜突出部１３ｃに対する前記ファンホルダ１６の位置決めが正確に行なわれる。従って、作業者が位置合わせ調整することなく、前記挿通穴１６ａと前記ネジ穴１３ｅとが容易に略一致する。
【００６３】
この後、当該挿通穴１６ａを介してネジ穴１３ｅにネジ締結することで冷却ファン１５をプラズマディスプレイパネル１２ａに装着し、更にその後にリヤキャビネット１４を、前記排出スリット１４ａが前記冷却ファン１５に相対するように、且つファンホルダ１６の外周に設けられた前記防振部材１７がリヤキャビネット１４に当接、挟持されるように装着する。
【００６４】
前述したように、前記リヤキャビネット１４には冷却ファン１５に相対する前記排出スリット１４ａと共に、背面下部に吸引スリット１４ｂとが設けられている。従って、冷却ファン１５の作動時には下部に位置する前記吸引スリット１４ｂから上部に位置する排出スリット１４ａに向けた熱気排出流が生起され、閉空間内の熱気は効率良く移動し、前記排出スリット１４ａを介して容易且つ確実に排出、冷却される。即ち、むやみに大型の冷却ファンを備えなくても、従来のように閉空間の上部の熱気が滞留するような心配は無い。
【００６５】
又、冷却ファン１５はシャーシブラケット１３の上方にある傾斜突出部１３ｃに設けられる上、装着箇所を１〜４箇所のうちで適宜設定ので、制御基板等の部品と干渉することなく設けられる。従って、これら部品に妨げられることなく効率良い排気が得られると同時に、奥行き寸法の大型化も抑制できる。
【００６６】
以上に説明したように、装着されるプラズマディスプレイパネル１２ａの種類に寄らず共通した単一種類のファンホルダ１６を介して小型の共通した単一種類の冷却ファン１５をシャーシブラケット１３の傾斜突出部１３ｃに、仮止め固定可能に且つ、取付位置及び数を適宜変更可能に装着するようにしたので、プラズマディスプレイパネル１２ａの形状、寸法等の仕様が各メーカー毎に異なってくる場合でも低コストで、組付け作業性が高く、且つ低騒音で、リヤキャビネット１４で覆われる閉空間の上部を含めた広い領域を効率よく冷却し得る冷却ファン取付構造を有するプラズマテレビ１１を提供し得る。
【００６７】
尚、本願発明は実施例の構成に限定されるものではなく、以下に列記する構成について、適宜変更可能である。
１．各実施例では、薄型表示装置としてプラズマディスプレイパネルの場合を例に説明したが、これに限定はされず、冷却が必要な液晶、有機ＥＬ等の他の各種薄型表示装置にも適用可能である。
【００６８】
２．実施例での冷却ファンの取付位置及び数はあくまで一例であり、状況に応じて適宜、１〜４個を２本のシャーシブラケットの各両端において選択装着可能ある。
又、ファンホルダを取り付けるシャーシブラケットの位置も、傾斜突出部に限定はされず、例えば水平頂部の上部に設けるようにしても良い。
【００６９】
３．シャーシブラケットの本数は２本の場合に限定はされず、１本、或いは３本以上設け、その各々にファンホルダを取り付け可能にしても良い。
【００７０】
４．シャーシブラケットに設けるネジ穴、位置決め穴、及び角穴は、傾斜突出部の幅方向両端に１つづつ設ける構成に限定はされず、一方側にのみ設けるようにしても良い。
【００７１】
５．シャーシブラケットに設けるネジ穴、位置決め穴、及び角穴の配置位置、及び配置数は実施例に限定されることはなく、ファンホルダの係止爪が角穴に挿入係止され、且つ位置決め可能であれば、適宜変更可能である。
同様に、ファンホルダに設ける挿通穴、位置決め凸部、及び係止爪の配置位置、及び配置数も係止爪がシャーシブラケットの角穴に挿入係止され、且つ位置決め可能であれば、適宜変更可能である。
例えば、係止爪と角穴、及び位置決め凸部と位置決め穴の各組み合わせは対称に配置する必要は無いし、各々１つのみ設けるようにしても良い。
【００７２】
６．シャーシブラケットに設ける位置決め穴、及び角穴と、ファンホルダに設ける位置決め凸部、及び係止爪は、各々、入替えて設けても良い。
即ち、位置決め穴、及び角穴はファンホルダ側に、位置決め凸部、及び係止爪はシャーシブラケット側に設ける。
【００７３】
７．係止爪の形状は、角穴に挿入係止可能であれば特に限定はされない。同様に角穴も係止爪の形状に応じて適宜変更可能である。
【００７４】
８．位置決め穴と位置決め凸部との組合せによる位置決めの具体的な形状も実施例に限定はされず、相互に嵌入して位置決め機能が得られれば、適宜変更可能である。例えば、位置決め穴は貫通穴でも良い。
【００７５】
９．防振部材１７，１８は、防振機能が得られれば材質は特に限定されない。不織布、発泡シーラー、シリコンゴム等の各種材料が適用可能である。
【００７６】
１０．実施例で説明した構成は、プラズマテレビとしてではなく、単に冷却ファン取付構造のみとしても提供し得るのは言うまでも無い。
【図面の簡単な説明】
【００７７】
【図１】本発明の実施例１を説明するブロック図である。
【図２】本発明の実施例１を説明する斜視図である。
【図３】本発明の実施例１を説明する正面図である。
【図４】本発明の実施例１を説明する縦断面図である。
【図５】本発明の実施例１を説明する部分拡大図である。
【図６】従来技術を説明する斜視図である。
【図７】従来技術を説明する正面図である。
【符号の説明】
【００７８】
１１…プラズマテレビ、１２ａ…プラズマディスプレイパネル、１２ｂ…パネルホルダ、１２ｇ…キャビネット、１３…シャーシブラケット、１３ａ…上側取付水平部、１３ｂ…下側取付水平部、１３ｃ…傾斜突出部、１３ｄ…垂直突出部、１３ｅ…ネジ穴、１３ｆ…位置決め穴、１３ｇ…角穴、１３ｈ…水平頂部、１４…リヤキャビネット、１４ａ…排出スリット、１４ｂ…吸引スリット、１５…冷却ファン、１６…ファンホルダ、１６ａ…挿通穴、１６ｂ…位置決め凸部、１６ｃ…係止爪、１７，１８…防振部材
【図１】
2008219657.tif 000003
【図２】
2008219657.tif 000004
【図３】
2008219657.tif 000005
【図４】
2008219657.tif 000006
【図５】
2008219657.tif 000007
【図６】
2008219657.tif 000008
【図７】
2008219657.tif 000009